(57)【要約】【課題】本発明は、ベビーキャリアを提供する。【解決手段】ベビーキャリアは、第一接続部及び第二接続部が設けられるメインストラップと、ベスト本体、並びにベスト本体の両端に固定される第三接続部及び第四接続部を有するベストと、を含み、第三接続部は、第一接続部に着脱可能に接続され、第四接続部は、第二接続部に着脱可能に接続される。【選択図】図１
2019051308.tif 000002
【特許請求の範囲】
【請求項１】
ベビーキャリアであって、
第一接続部及び第二接続部が設けられるメインストラップと、
ベスト本体、並びに前記ベスト本体の両端に固定される第三接続部及び第四接続部を有するベストと、を含み、
前記第三接続部は、前記第一接続部に着脱可能に接続され、前記第四接続部は、前記第二接続部に着脱可能に接続される、ベビーキャリア。
【請求項２】
請求項1に記載のベビーキャリアであって、
前記メインストラップは、腰ベルト及び前記腰ベルトに接続される２つの肩ストラップを含み、前記第一接続部は、前記肩ストラップに設けられ、前記第二接続部は、前記腰ベルトに設けられる、ベビーキャリア。
【請求項３】
請求項1に記載のベビーキャリアであって、
前記ベストは、第一固定片をさらに含み、前記第一固定片の一端は、前記ベスト本体の一端に接続され、前記第一固定片の他の一端は、ベビーを固定するために前記ベスト本体に着脱可能に接続される、ベビーキャリア。
【請求項４】
請求項3に記載のベビーキャリアであって、
前記ベストは、前記第一固定片に設けられる第五接続部、及び前記ベスト本体に設けられる第六接続部をさらに含み、前記第五接続部は、前記第六接続部に着脱可能に接続される、ベビーキャリア。
【請求項５】
請求項2に記載のベビーキャリアであって、
前記メインストラップは、前記腰ベルトに接続されてベビーを支持するためのチェアをさらに含む、ベビーキャリア。
【請求項６】
請求項5に記載のベビーキャリアであって、
前記チェアは、前記腰ベルトに接続される収納袋、及び前記収納袋内に設けられるチェア芯部を含む、ベビーキャリア。
【請求項７】
請求項2に記載のベビーキャリアであって、
前記腰ベルトには、物入れがさらに設けられる、ベビーキャリア。
【請求項８】
ベビーキャリアであって、
寝袋と、
第一接続部及び第二接続部が設けられるメインストラップと、
ベスト本体、並びに前記ベスト本体の両端に固定される第三接続部及び第四接続部を有するベストと、を含み、
前記第三接続部は、前記第一接続部に着脱可能に接続され、前記第四接続部は、前記寝袋を前記ベストに着脱可能に接続するために用いられる、ベビーキャリア。
【請求項９】
請求項8に記載のベビーキャリアであって、
前記ベストには、第五接続部がさらに設けられ、前記第五接続部は、前記第三接続部と前記第四接続部との間に設けられ、前記第五接続部は、前記寝袋に穿設されて第二接続部に着脱可能に接続され、前記第四接続部は、前記寝袋に穿設されて前記ベスト本体に着脱可能に接続される、ベビーキャリア。
【請求項１０】
請求項9に記載のベビーキャリアであって、
前記ベストには、第六接続部がさらに設けられ、前記第六接続部は、前記第三接続部と前記第五接続部との間に設けられ、前記第四接続部は、前記第六接続部に着脱可能に接続される、ベビーキャリア。
【請求項１１】
請求項9に記載のベビーキャリアであって、
前記寝袋の背面には、第一固定リング及び第二固定リングが対称に設けられ、前記第四接続部は、前記第一固定リングに穿設され、前記第五接続部は、前記第二固定リングに穿設される、ベビーキャリア。
【請求項１２】
請求項9に記載のベビーキャリアであって、
前記ベストは、前記ベスト本体の一端に接続される第一固定片をさらに含み、前記第五接続部は、前記第一固定片の、前記ベスト本体から離れた一端に固定される、ベビーキャリア。
【請求項１３】
請求項8に記載のベビーキャリアであって、
前記メインストラップには、第七接続部がさらに設けられ、前記寝袋には、前記第七接続部に対応する第八接続部が設けられ、前記寝袋は、前記ベスト本体に置かれ、前記第八接続部は、前記第七接続部に着脱可能に接続され、前記第四接続部は、前記第二接続部に着脱可能に接続される、ベビーキャリア。
【請求項１４】
請求項8に記載のベビーキャリアであって、
前記第三接続部及び前記第四接続部は、前記ベスト本体の縦方向の両端に設けられ、前記寝袋の縦方向は、前記ベスト本体の縦方向に交差する、ベビーキャリア。
【請求項１５】
請求項8に記載のベビーキャリアであって、
前記寝袋は、支持体及び前記支持体の辺縁に凸設される周辺部を含む、ベビーキャリア。
【請求項１６】
請求項15に記載のベビーキャリアであって、
前記寝袋は、前記支持体の一端に接続される第二固定片をさらに含み、前記第二固定片は、ベビーを固定するために前記支持体に着脱可能に接続される、ベビーキャリア。
【請求項１７】
請求項16に記載のベビーキャリアであって、
前記寝袋は、前記第二固定片に移動可能に穿設される固定ベルトをさらに含み、前記固定ベルトの少なくともの一端は、前記支持体又は前記周辺部に着脱可能に接続される、ベビーキャリア。
【請求項１８】
請求項8に記載のベビーキャリアであって、
前記メインストラップは、腰ベルト及び前記腰ベルトに接続される２つの肩ストラップを含み、前記第一接続部は、前記肩ストラップに設けられ、前記第二接続部は、前記腰ベルトに設けられる、ベビーキャリア。
【請求項１９】
請求項18に記載のベビーキャリアであって、
前記メインストラップは、前記腰ベルトに接続されてベビーを支持するためのチェアをさらに含む、ベビーキャリア。
【請求項２０】
請求項19に記載のベビーキャリアであって、
前記チェアは、前記腰ベルトに接続される収納袋、及び前記収納袋内に設けられるチェア芯部を含む、ベビーキャリア。
【発明の詳細な説明】
【技術分野】
【０００１】
本発明は、ベビー用品に関し、特に、使用する際に優れた柔軟性を持ち、且つより高い快適性を有するベビーキャリアに関する。
【背景技術】
【０００２】
抱っこ紐を用いることで、保護者がベビーをキャリーしながら外へ自由に移動するときに両手を解放することができ、また、ベビーとの親密な接触に影響を与えることもない。抱っこ紐は、使い方に従って、横抱き式、縦抱き式、対面式などのものに分けることができ、また、機能に従って分類すれば、専用タイプ、両用タイプ、多用途タイプなどの種類がある。
【０００３】
抱っこ紐は、設計が人間工学に符合して使用者の負担を軽減する必要があると共に、ベビーの臀部、腰部、頸部、頭部などを支持し、湾曲や不必要な圧力を避けることで、ベビーが座るときの快適性及び安全性を保証し、ベビーの柔弱な筋肉及び骨格を保護する必要もある。しかし、従来の抱っこ紐は、生後数ヶ月以上の比較的大きいベビーのみに適したものが多い。筋肉及び骨格が共に非常に柔らかい新生児について言えば、従来の抱っこ紐は、ベビーへの支持（サポート）に限度があるため、直接使用することができない。
【０００４】
よって、上述の従来技術に存在する問題を解決するために、新生児に適した、快適性が高く且つ使用時に優れた柔軟性も兼ね備えたベビーキャリアを提供する必要がある。
【発明の概要】
【発明が解決しようとする課題】
【０００５】
本発明の目的は、新生児に適した、快適性が高く且つ使用時に優れた柔軟性も兼ね備えたベビーキャリアを提供することにある。
【課題を解決するための手段】
【０００６】
上述の目的を達成するために、本発明の実施例によれば、ベビーキャリアが提供され、それは、メインストラップ（main  strap）及びベスト（vest）を含み、メインストラップには、第一接続部及び第二接続部が設けられ、ベストは、ベスト本体、並びに前記ベスト本体の両端に固定される第三接続部及び第四接続部を含み、前記第三接続部は、前記第一接続部に着脱可能に接続され、前記第四接続部は、前記第二接続部に着脱可能に接続される。
【０００７】
好ましくは、前記メインストラップは、腰ベルト及び前記腰ベルトに接続される２つの肩ストラップを含み、前記第一接続部は、前記肩ストラップに設けられ、前記第二接続部は、前記腰ベルトに設けられる。
【０００８】
好ましくは、前記ベストは、さらに、第一固定片を含み、前記第一固定片の一端は、前記ベスト本体の一端に接続され、前記第一固定片の他の一端は、前記ベスト本体に着脱可能に接続されてベビーを固定する。
【０００９】
好ましくは、前記ベストは、さらに、前記第一固定片に設けられる第五接続部、及び前記ベスト本体に設けられる第六接続部を含み、前記第五接続部は、前記第六接続部に着脱可能に接続される。
【００１０】
好ましくは、前記メインストラップは、さらに、前記腰ベルトに接続されてベビーを支持するためのチェアを含む。
【００１１】
好ましくは、前記チェアは、前記腰ベルトに接続される収納袋、及び前記収納袋内に設けられるチェア芯部を含む。
【００１２】
好ましくは、前記腰ベルトには、さらに、物入れが設けられる。
【００１３】
また、本発明の実施例による他のベビーキャリアは、寝袋、メインストラップ及びベストを含み、メインストラップには、第一接続部及び第二接続部が設けられ、ベストは、ベスト本体、並びに前記ベスト本体の両端に固定される第三接続部及び第四接続部を含み、前記第三接続部は、前記第一接続部に着脱可能に接続され、前記第四接続部は、前記寝袋を前記ベストに着脱可能に接続するために用いられる。
【００１４】
好ましくは、前記ベストには、さらに、第五接続部が設けられ、前記第五接続部は、前記第三接続部と前記第四接続部との間に設けられ、前記第五接続部は、前記寝袋に穿設され、且つ第二接続部に着脱可能に接続され、前記第四接続部は、前記寝袋に穿設され、且つ前記ベスト本体に着脱可能に接続される。
【００１５】
好ましくは、前記ベストには、さらに、第六接続部が設けられ、前記第六接続部は、前記第三接続部と前記第五接続部との間に設置され、前記第四接続部は、前記第六接続部に着脱可能に接続される。
【００１６】
好ましくは、前記寝袋の背面には、第一固定リング及び第二固定リングが対称に設けられ、前記第四接続部は、前記第一固定リングに穿設され、前記第五接続部は、前記第二固定リングに穿設される。
【００１７】
好ましくは、前記ベストは、さらに、前記ベスト本体の一端に接続される第一固定片を含み、前記第五接続部は、前記第一固定片の、前記ベスト本体から離れた一端に固定される。
【００１８】
好ましくは、前記メインストラップには、さらに、第七接続部が設けられ、前記寝袋には、前記第七接続部に対応する第八接続部が設けられ、前記寝袋は、前記ベスト本体に置かれ、前記第八接続部は、前記第七接続部に着脱可能に接続され、前記第四接続部は、前記第二接続部に着脱可能に接続される。
【００１９】
好ましくは、前記第三接続部及び前記第四接続部は、前記ベスト本体の縦方向の両端に設けられ、前記寝袋の縦方向は、前記ベスト本体の縦方向に交差する。
【００２０】
好ましくは、前記寝袋は、支持体、及び前記支持体の辺縁に凸設される周辺部を含む。
【００２１】
好ましくは、前記寝袋は、さらに、前記支持体の一端に接続される第二固定片を含み、前記第二固定片は、前記支持体に着脱可能に接続されてベビーを固定する。
【００２２】
好ましくは、前記寝袋は、さらに、前記第二固定片に移動可能に穿設される固定ベルトを含み、前記固定ベルトの少なくともの一端は、前記支持体又は前記周辺部に着脱可能に接続される。
【００２３】
好ましくは、前記メインストラップは、腰ベルト、及び前記腰ベルトに接続される２つの肩ストラップを含み、前記第一接続部は、前記肩ストラップに設けられ、前記第二接続部は、前記腰ベルトに設けられる。
【００２４】
好ましくは、前記メインストラップは、さらに、前記腰ベルトに接続されてベビーを支持するためのチェアを含む。
【００２５】
好ましくは、前記チェアは、前記腰ベルトに接続される収納袋、及び前記収納袋内に設けられるチェア芯部を含む。
【００２６】
従来の技術に比べ、本発明によるベビーキャリアは、メインストラップに第一接続部及び第二接続部が設置され、ベストのベスト本体に第三接続部及び第四接続部がそれぞれ固定され、第三接続部と第一接続部との着脱可能な接続及び第四接続部と第二接続部との着脱可能な接続により、ベスト及びメインストラップを組み合わせて使用することができるので、操作がより簡単であり、このときに、特に比較的大きいベビーに適する。さらに、ベストに設けられる第四接続部により支持性が良い寝袋を接続し得ることで、メインストラップ及びベストは、寝袋と組み合わせて使用することもできるので、このときに、生まれたばかりの赤ちゃんにも適する。よって、本発明によるベビーキャリアは、使用範囲がより広く、使用時に優れた柔軟性を有し、且つ新生児が座る又は横たわるときの快適性及び安全性を保証することがでる。
【図面の簡単な説明】
【００２７】
【図１】本発明によるベビーキャリアの一実施例の構造図である。
【図２】図1中のベストの他の角度から見た構造図である。
【図３】図1中のメインストラップの他の状態を示す図である。
【図４】図3中のメインストラップの他の角度から見た構造図である。
【図５】本発明によるベビーキャリアのもう１つの実施例におけるメインストラップ及び寝袋の構造図である。
【図６】図5中の寝袋の拡大図である。
【図７】図6中の寝袋の他の角度から見た構造図である。
【図８】図5中のメインストラップと寝袋との組み合わせの状態を示す図である。
【図９】図8中のメインストラップと寝袋との接続後の状態を示す図である。
【図１０】図8中のメインストラップと寝袋との接続後の他の状態を示す図である。
【図１１】本発明によるベビーキャリアの他の実施例の構造図である。
【図１２】図11中のベストの他の角度から見た構造図である。
【図１３】図11中の寝袋の拡大図である。
【図１４】図13中の寝袋の他の角度から見た構造図である。
【図１５】図11中のベビーキャリアの組み立て後の状態を示す図である。
【発明を実施するための形態】
【００２８】
以下、添付した図面を参照しながら、本発明を実施するための好適な形態を詳細に説明する。なお、このような実施形態は、例示に過ぎず、本発明を限定するものでない。
【００２９】
図1〜図4に示すように、本発明によるベビーキャリア100の一実施例では、メインストラップ110及びベスト120が含まれる。そのうち、メインストラップ110は、腰ベルト111及び該腰ベルト111に接続される２つの肩ストラップ112を含み、肩ストラップ112には、それぞれ、第一接続部113が設けられ、腰ベルト111には、２つの第二接続部114、及び２つの第二接続部114の間に位置する物入れ115が設けられ、ベスト120は、第一接続部113及び第二接続部114により、メインストラップ110に着脱可能に接続される。
【００３０】
また、図1に示すように、ベスト120は、ベスト本体121、２つの第三接続部122及び２つの第四接続部123を含む。そのうち、ベスト本体121は、ベビーを載置するために用いられ、２つの第三接続部122及び２つの第四接続部123は、すべて、ベスト本体121の縦方向の両端にそれぞれ設けられ、具体的には、２つの第三接続部122は、ベスト本体121の上端に対称に設けられ、２つの第四接続部123は、ベスト本体121の下端に対称に設けられる。第三接続部122が第一接続部113と着脱可能に接続され、且つ第四接続部123が第二接続部114と着脱可能に接続されることで、ベスト120とメインストラップ110との着脱可能な接続を実現し、また、ベスト120とメインストラップ110との接続後の安定性及び力の釣り合いを保証することができる。
【００３１】
また、図3及び図4に示すように、前記ベスト120は、さらに、第一固定片124、第五接続部125及び第六接続部126を含み、第一固定片124の一端は、ベスト本体121の、第四接続部123に近い一端に接続され、第五接続部125は、第一固定片124の、ベスト本体121に遠い一端に固定され、第六接続部126は、ベスト本体121のほぼ中間に設けられる。該第一固定片124を持ち上げて、第五接続部125と第六接続部126とを着脱可能に接続することで、第一固定片124は、ベビーを固定することができる。
【００３２】
本発明では、第一接続部113と第三接続部122との間、第二接続部114と第四接続部123との間、及び第五接続部125と第六接続部126との間は、すべて、バックル、ジッパー、マジックテープ（登録商標）などにより着脱可能な接続を実現することができるが、これらの接続方式に限定されず、当業者に既知の他の接続手段を採用しても良い。
【００３３】
ここで、再び図1を参照する。前記メインストラップ110は、さらに、腰ベルト111に接続され、且つベビーを支持するためのチェア116を含み、チェア116は、物入れ115の上方に設けられ、且つ２つの第二接続部114の間に位置し、チェア116の支持により、ベビーが座るときの快適さをより一層向上させることができる。
【００３４】
具体的には、チェア116は、腰ベルト111に接続される収納袋（符号なし）、及び該収納袋内に設けられるチェア芯部を含み、該チェア芯部は、熱可塑性弾性体（Hytrel）、ポリプロピレン（polypropylene、PP）、発泡ポリプロピレン（Expanded  polypropylene、EPP）、ABS樹脂（Acrylonitrile  Butadiene  Styrene）、繊維板などを用いて一体成形されても良く、これにより、良好な支持性を持つと共に、比較的良い弾性及び透気性も有する。もちろん、チェア芯部は、このような材質及び成形方法に限定されない。
【００３５】
また、図1〜図4に示すように、本実施例中のベビーキャリア100を使用するときに、ベビーがベスト本体121に座るようにさせ、そして、第一固定片124を持ち上げてベビーの身体に置いてから、第五接続部125を第六接続部126に接続することで、ベビーを固定し、その後、第三接続部122を第一接続部113に接続し、且つ第四接続部123を腰ベルト111の第二接続部114に接続することで、ベスト120とメインストラップ110との接続を実現し、このように両者を組み合わせて使用することにより、使用者の負担を軽減し、両手の解放を実現することができ、且つ操作がより簡単になる。本実施例中のベビーキャリア100は、特に比較的大きいベビー、例えば、生後四ヶ月以上のベビーに適する。
【００３６】
さらに、チェア116の支持により、ベビーへの良い支持作用を有し、ベビーが座るときの快適さをより一層向上させることができる。もちろん、本実施例中の腰ベルト111は、チェア116を有するため、メインストラップ110は、単独で使用されても良く、これにより、ベビーキャリア100は、使用時に優れた柔軟性を有し、且つ操作がより簡単になる。
【００３７】
以下、図1及び図5〜図10をもとに、本発明によるベビーキャリア100のもう１つの実施例を説明する。本実施例では、メインストラップ110、ベスト120及び寝袋130が含まれる。寝袋130は、ベスト120に着脱可能に接続され、ベスト120は、メインストラップ110に着脱可能に接続され、そのうち、寝袋130は、特に新生児に適する。本実施例中のメインストラップ110及びベスト120の構造は、上述の実施例と同じであるが、異なる点は、寝袋130の構造及びそれとベスト120との接続方式にある。以下、図面を参照しながらこれについて詳細に説明する。
【００３８】
図5〜図7に示すように、前記寝袋130は、支持体131、支持体131の辺縁に凸設される周辺部132、及び支持体131に接続される第二固定片133を含み、支持体131と周辺部132との間は、ベビーが座るシート（seat）領域を形成し、第二固定片133は、支持体131に着脱可能に接続されてベビーを固定するために用いられる。
【００３９】
本実施例では、寝袋130は、さらに、第二固定片133に移動可能に穿設される固定ベルト134を含み、該固定ベルト134の一端は、支持体131又は周辺部132に固定され、他の一端は、バックル135により、支持体131又は周辺部132に着脱可能に接続され、これにより、ベビーを固定することができる。もちろん、固定ベルト134の着脱可能な接続は、バックル135により実現されることに限定されず、ジッパー、マジックテープ（登録商標）などにより実現されても良い。
【００４０】
また、図7に示すように、寝袋130の背面には、第一固定リング136及び第二固定リング137が対称に設けられ、そのうち、第一固定リング136の数量は、第四接続部123の数量に対応し、第二固定リング137の数量は、第五接続部125の数量に対応し、即ち、本実施例では、第一固定リング136及び第二固定リング137は、ともに、２つあり、２つの第一固定リング136は、寝袋130の縦方向の一側辺に間隔を隔てて設けられ、２つの第二固定リング137は、寝袋130の縦方向の他の側辺に間隔を隔てて設けられる。
【００４１】
また、図5及び図8〜図10に示すように、寝袋130をベスト120に接続するときに、まずは、図5に示すように、ベスト120の第一固定片124を持ち上げてベスト本体121に置いてから、第五接続部125を第三接続部122と第四接続部123との間に位置させる。その後、寝袋130をベスト本体121に置き、且つ寝袋130の縦方向がベスト本体121の縦方向に交差するようにさせ（図10参照）、それから、２つの第四接続部123を２つの第一固定リング136にそれぞれ穿設し、且つ２つの第四接続部123を、寝袋130の底部を経由して２つの第六接続部126に接続し、即ち、図9及び図10に示すように、２つの第四接続部123は、寝袋130の横方向に跨る。それに対応して、２つの第五接続部125は、２つの第二固定リング137に穿設され、２つの第五接続部125は、寝袋130の底部を経由して腰ベルト111の２つの第二接続部114との接続を待ち、この時に、２つの第五接続部125も寝袋130の横方向に跨り、且つ２つの第五接続部125の延伸方向は、２つの第四接続部123の延伸方向と相反し、寝袋130とベスト120との接続が完成した後の状態は、図10に示されている。第四接続部123及び第五接続部125が共に寝袋130の横方向に跨って寝袋130を支持するので、寝袋130を固定するときの安定性及び平衡性を保証することができる。もちろん、使用者のニーズに応じて、第四接続部123を第二固定リング137に穿設し、且つ第五接続部125を第一固定リング136に穿設しても良いが、これに限定されない。
【００４２】
また、図1に示すように、ベスト120をメインストラップ110に接続する時に、ベスト120の第三接続部122を肩ストラップ112の第一接続部113に接続してから、ベスト120の第五接続部125を腰ベルト111の第二接続部114に接続し、これにより、三者の組み立てを完成することができ、この時に、寝袋130が横方向に延伸し、ベビーの横抱きを実現することができ、また、寝袋130の支持作用により、ベビーを横たわりにし、快適性及び安全性を保証することができる。よって、特に新生児、例えば、生後四ヶ月以下のベビーに適する。
【００４３】
以下、図11〜図15に基づいて、本発明のベビーキャリア100の他の実施例を説明する。本実施例では、メインストラップ110、ベスト120及び寝袋130が含まれ、寝袋130は、メインストラップ110及びベスト120に着脱可能に接続され、ベスト120は、メインストラップ110に着脱可能に接続され、そのうち、寝袋130は、主に新生児に適する。
【００４４】
本実施例では、ベスト120の構造は、上述の実施例と同じであるため、その説明が省略される。メインストラップ110の構造は、上述の実施例に比べ、その相違点は、２つの第七接続部117をさらに含むことにある。図12に示すように、第七接続部117は、第二接続部114に対応して並べて設置され、２つの第七接続部117は、寝袋130を着脱可能に接続するために用いられる（詳細は後述する）。
【００４５】
また、図13及び図14に示すように、寝袋130の構造は、上述の実施例に比べ、その相違点は、該寝袋130に第一固定リング136及び第二固定リング137が設置されず、寝袋130の縦方向の少なくとも１つの側辺に２つの第八接続部138が距離を隔てて設置されることにある。第八接続部138は、支持体131又は周辺部132に固定され、第七接続部117と着脱可能な接続を行うことができる。
【００４６】
好ましくは、本実施例では、寝袋130の縦方向の２つの側辺にすべて第八接続部138が設置され、即ち、寝袋130には４つの第八接続部138が設置され、このようにして、寝袋130の縦方向の任意の側辺にある第八接続部138と第七接続部117とを選択的に接続することで、寝袋130の方向を調整することができ、使用時に優れた柔軟性を持ち、且つ操作がより簡単になる。
【００４７】
以下、図10〜図15を参照して、本実施例中のベビーキャリア100の接続状態について説明する。寝袋130をベスト120に接続する時に、先ずは、ベスト120の第一固定片124を持ち上げてベスト本体121に置いてから、第五接続部125を第三接続部122と第四接続部123との間に位置させる（図5及び図11参照）。その後、寝袋130をベスト本体121に置き、且つ寝袋130の縦方向がベスト本体121の縦方向に交差するようにさせ、この時に、図10に示すように、寝袋130の第八接続部138は、腰ベルトの第七接続部117との接続を待つ。
【００４８】
また、図11及び図15に示すように、ベスト120をメインストラップ110に接続する時に、ベスト120の第三接続部122を肩ストラップ112の第一接続部113に接続してから、ベスト120の第四接続部123を腰ベルト111の第二接続部114に接続し、これにより、ベスト120とメインストラップ110との接続を実現することができる。また、寝袋130の２つの第八接続部138を腰ベルトの２つの第七接続部117に対応して接続し、これにより、三者の組み立てを完成することができる。この時に、寝袋130が横方向に延伸し、ベビーの横抱きを実現することができ、また、寝袋130の支持作用により、ベビーを横たわりにし、快適性及び安全性を保証することができる。よって、特に新生児、例えば生後四ヶ月以下のベビーに適する。
【００４９】
好ましくは、第七接続部117と第八接続部138との間は、バックル、ジッパー、マジックテープ（登録商標）などにより着脱可能な接続を実現するが、これに限定されない。
【００５０】
以上のことから、本発明によるベビーキャリア100は、メインストラップ110に第一接続部113及び第二接続部114が設けられ、ベスト120のベスト本体121に第三接続部122及び第四接続部123がそれぞれ固定され、第三接続部122と第一接続部113との着脱可能な接続、及び第四接続部123と第二接続部114との着脱可能な接続により、ベスト120とメインストラップ110を組み立てて使用することができるので、操作がより簡単であり、この場合、特に比較的に大きいベビーに適する。さらに、ベスト120の第四接続部123を用いて、支持性がより良い寝袋130を接続することで、メインストラップ110、ベスト120、及び寝袋130を組み合せて使用することができ、この場合、特に新生児に適する。よって、ベビーキャリア100は、使用範囲がより広くなり、使用時に優れた柔軟性を有し、また新生児が座る又は横たわるときの快適性及び安全性を保証することもできる。
【００５１】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
2019051308.tif 000003
【図２】
2019051308.tif 000004
【図３】
2019051308.tif 000005
【図４】
2019051308.tif 000006
【図５】
2019051308.tif 000007
【図６】
2019051308.tif 000008
【図７】
2019051308.tif 000009
【図８】
2019051308.tif 000010
【図９】
2019051308.tif 000011
【図１０】
2019051308.tif 000012
【図１１】
2019051308.tif 000013
【図１２】
2019051308.tif 000014
【図１３】
2019051308.tif 000015
【図１４】
2019051308.tif 000016
【図１５】
2019051308.tif 000017